(57)【要約】【課題】（イ）溝レールに簡単に掲示、或いは立て付けができるものにしたい。（ロ）横幅が広めの紙片も掲示できるものにしたい。【解決手段】台紙を使用するものとし、台紙の横幅全体に渡って均等に曲げ屈めできる立て付けのものとした。その１つの方法として、立て付け部の中間位置に、横に通る軸芯をもつものとした。【選択図】　　　　　図１
2004057774.tif 000002
【特許請求の範囲】
【請求項１】
弾性体からなる板片が折れ曲がり、傍片を立て付け部、もう一方の傍片を掲示部とする台紙の、立て付け部の中間位置に横に通る軸芯（１ｃ）をもつ、紙片を掲示する台紙（図１、２）。
【請求項２】
軸芯（２ｃ）を軸受けとし、軸受けに軸棒（２ｄ）を組み入れた、請求項１記載の紙片を掲示する台紙。
【請求項３】
弾性体からなる板片を本体とし、本体（３）の下部を裏側に折り返し、更に裏側に折り返しの引っ掛け鉤（３ａ）をもつ、紙片を掲示する台紙（図３）。
【請求項４】
弾性体からなる板片を本体とし、本体（４）の上端に裏側に折れ返りの引っ掛け鉤（４ａ）をもち、本体の下端が表側に折れ返りの紙留め（４ｆ）をもつ、紙片を掲示する台紙（図４）。
【請求項５】
弾性体からなる板片を本体とし、本体（５、７、８、９、１０）の上縁（５ｂ、７ｂ、８ｂ、９ｂ、１０ｂ）を上爪とし、本体裏側の中間位置から延びる下爪（５ａ、７ａ、８ａ、９ａ、１０ａ）をもつ。下爪の上部には、横に通る軸芯（５ｃ、７ｃ、８ｃ、９ｃ、１０ｃ、１０ｄ）をもつ、紙片を掲示する台紙（図５、７〜１０）。
【請求項６】
弾性体からなる板片を本体とし、本体（１１、１３、１４）裏側の中間位置からブリッジ状に張る上爪（１１ｂ、１３ｂ、１４ｂ）と下爪（１１ａ、１３ａ、１４ａ）をもち、上爪と下爪の間に横に通る軸芯（１１ｃ、１３ｃ、１４ｃ）をもつ、紙片を掲示する台紙（図１１、１３、１４）。
【請求項７】
板片を本体とし、本体（１５、１６、１７、１８）裏側の中間位置にブリッジ状に張る弾性体からなる上爪（１５ｂ、１６ｂ、１７ｂ、１８ｂ、１９ｂ）と下爪（１５ａ、１６ａ、１７ａ、１８ａ、１９ａ）をもつ、紙片を掲示する台紙（図１５〜１９）。
【請求項８】
本体の表面に粘着糊などを付着させた粘着面（１ｅ、５ｅ、９ｅ、１１ｅ）をもつ、請求項１、３、４、５、６、７記載の紙片を掲示する台紙。
【請求項９】
本体の上端、或いは下端から表面に折れ返りの紙留め（３ｆ、４ｆ、７ｆ、８ｆ、１０ｆ、１３ｆ、１４ｆ）をもつ、請求項３、４、５、６、７、８記載の紙片を掲示する台紙。
【請求項１０】
本体の上端、或いは下端の表側に、１筋、或いは２筋に押さえ付く紙留め（１５ｆ、１６ｆ、１７ｆ、１８ｆ）をもつ、請求項７記載の紙片を掲示する台紙。
【請求項１１】
本体（１９）が、板厚の内に並列する縦穴（１９ｇ）をもつ板片である、請求項７記載の紙片を掲示する台紙。
【発明の詳細な説明】
【０００１】
【発明の属する技術分野】
スーパー、八百屋、ドラッグストアなどで使用されている商品陳列棚には、棚板の正面手前の縁に、値札などのカードを掲示する溝レールが取り付けられている。溝レールは、図２１に示すように上溝と下溝をもち、掲示紙片は腰を曲げ屈めて立て付けるものとしている。本発明はこの溝レールに紙片を掲示する台紙についてのものである。一般に普及している溝レールは入り口の縦幅が約２．０センチ、奥の縦幅が約２．７センチほどのものである。
【０００２】
【従来の技術】
約２．７センチの溝レールの中に立て付ける掲示紙片は、２．５〜２．６センチほどの縦幅のものになる。この極く狭く短い縦幅の紙片を曲げ屈めるのは、厄介で難しい。無理をすれば折れてしまう。曲げ屈めても、その紙片の縁は大きく湾曲してしまい、その立て付けも難しい。また限られたサイズの小紙片しか掲示することができない。腰の弱い紙片を掲示することもできない。また、横一線に均等の曲げ屈めが難しいことから、横幅が広めの紙片を掲示することは極めて困難である。それ故に、最も目抜きの位置にある溝レールは、充分に利用されていない現状がある。
【０００３】
【発明が解決しようとする課題】
（イ）目抜きの位置にある掲示レールを充分に利用したい。
（ロ）もっと簡単に掲示あるいは立て付けができるものにしたい。
（ハ）レール幅より大きめの縦幅をもつ紙片も掲示できるものにしたい。
（ニ）横幅が広めの紙片も掲示したい。
（ホ）チラシなど腰のない紙片も掲示したい。
以上の課題を体し、軽便に使用できる掲示台紙を得て、広く利用に供することを課題とする。
【０００４】
【課題を解決するための手段】
この発明の台紙が取り付く対象とする溝レールは、図２１に示す如きものである。本発明の台紙は、台紙自体が立て付くかたちとともに、掲示紙片を支持するかたちをもつものである。本発明は溝レールに立て付くかたちから、大きく分けて次の５つのものに分類できる。
【０００５】
その１は、図１、２に示すものである。台紙の横幅全体に渡って、均等の曲げ屈めができるものとしたもので、弾性体からなる板片が折れ曲がり、傍片を立て付け部、もう一方の傍片を掲示部とする台紙の、立て付け部の中間位置に、横に通る軸芯をもつものとした。
【０００６】
その２は、図３に示すものである。台紙の縦幅を、溝レールの幅より拡張してもち、全体的に均等の曲げ屈めができるものとしたもので、弾性体からなる板片を本体とし、本体の下部を裏側に折り返し、更に裏側に折り返しの引っ掛け鉤を設けたものとした。曲げ屈め易く、立て付け易く、あわせて溝レールの幅より大きいサイズの紙片を掲示できるものとした台紙である。
【０００７】
その３は、図４に示すものである。台紙を溝レールの中に立て付けるものとせず、溝レールの下溝に引っ掛けて、吊り下がる引っ掛け鉤をもち、あたかも溝レールの下溝をより下に延長して、レール幅を広げたかたちで使用する台紙としたもので、弾性体からなる板片を本体とし、本体の上端が裏側に折れ返りの引っ掛け鉤をもち、本体の下端に表側に折れ返りの紙留めをもつものとした。掲示紙片は縦幅を大きくもつことができ、緩やかな曲げ屈めで掲示紙片を立て付けることができるものとした。
【０００８】
その４は、図５〜１４に示すものである。台紙に横帯状に軸芯をもつものにした。軸芯は台紙の横幅にわたってもち、台紙を曲げ屈めするとき、台紙の上縁、下縁のラインを湾曲しにくいものとするためのものである。また軸芯を入れることで台紙の板厚に段差をつくり、曲がり易い部分と曲がり難い部分の交線をもつことができる。台紙は交線で等しく折れ、そして曲がり屈み、横筋に比較的均等の曲げ屈めが得られるものとした。横帯状の軸芯は、主に溝レールに立て付く爪の付け根を張り合わせるかたちでもつものとした。溝レールに立て付く爪のもち方は２通りのものとした。１つは図５、７〜１０に示すように、本体の上縁を上爪とし、張り合わせの軸芯から延びる下爪をもつもの。もう１つは図１１、１３、１４に示すように、本体の上縁、下縁から内に入った位置の張り合わせから延びる上爪と下爪をもつものである。
【０００９】
その５は、図１５〜１９に示すものである。図１１、１３〜１４に示すものと同じくした上爪と下爪をもつものであるが、本体に厚めの板を使用したものである。それにより上爪と下爪は、その付け根部分から横幅全体にわたって等しく折れ曲がり、付け外しのしやすいものとした。
【００１０】
この発明は、溝レールに立て付くかたちを主体としたものであるが、掲示紙片を留め付けるかたちとして、次のものをもつものとした。
（イ）本体の表面に粘着糊を付着させるなど粘着面をもつもの。
（ロ）本体の上端、或いは下端から表面に折れ返りの紙留めをもつもの。
（ハ）本体の上端、或いは下端の表面に、１筋あるいは２筋に押さえ付く紙留めをもつもの。
（ニ）本体が、板厚の内に並列する縦穴をもつ板片であるもの、などである。
【００１１】
【発明の実施の形態】
図１は、溝レールに立て付く部分の中間を丸め、横に通しの軸芯を持たせたものである。曲げ屈めたとき、全体が均等に折れ曲がり、溝レールに立て付ける縁のラインが維持され、付け外しがしやすいものである。尚、図１の軸芯は上下に伸縮するバネともなって、付け外しに一層効果的である。掲示部は下端から折れ返りの紙留めのものとしたが、台紙の表面に粘着面をもつものとしても良い。
【００１２】
図２は、軸芯（２ｃ）を軸受けとして、軸棒（２ｄ）を組み入れたものである。横幅を広くとった台紙とする場合でも、曲げ屈めたとき全体が均等に折れ曲がり、付け外しがしやすい構成である。実施例では、４ミリ径の樹脂の丸棒を組み入れた。軸棒（丸棒）を組み入れることにより左右から一層つまみ持ち易く、付け外しがしやすいものにした。
【００１３】
図３は、本体の上縁を上爪として、溝レールの上溝に、そして引っ掛け鉤を下溝に立て付けて取り付くものである。溝レールの下溝から、台紙の尻が食み出したように取り付き、そして掲示するものである。溝レールの幅よりも、縦幅が広い紙片を掲示することができる。縦幅を広くとれるので台紙を曲げ屈め易く、付け外しが容易である。掲示紙片は台紙の内側に挟んで、台紙とともに挟み付ければ良い。または台紙の表面に粘着テープを張り付け、或いは粘着糊などを塗布しておき、掲示紙片を台紙の表面に貼り付けて掲示するのも良い。後者のものについて実施例では、接着のりを薄目に塗ったものにして、貼って剥がせるかたちで何回でも使えるものとした。
【００１４】
図４は、台紙の上端裏側に引っ掛け鉤をもち、溝レールの下溝に引っ掛けて、吊り下がり、溝レールの下溝を下方に延長し、レール幅を広げたかたちで掲示する台紙である。台紙はブランコの如く前後に振れるので、容易に付け外しができる。掲示紙片の腰で突っ張って立て付き、そして安定するものである。
【００１５】
図５、７、９、１０は、台紙本体の裏側に、図６で示す弾性体からなる下爪を張り合わせたものである。張り合わせた部分が軸芯になって、下爪を立て付け、曲げ屈めるとき、爪の付け根のラインが支点になって均等に折れ曲がり、上爪とする台紙本体の上縁のラインが維持され、立て付けがしやすいものとなる。図５は、台紙本体の表面に粘着面をもつものである。図７は、下端から表面に折れ返りの紙留めをもつものである。図８は、図６で示す爪を使用せず、台紙本体を折り返して下爪をつくったものである。折り返しの爪の付け根になる部分は、張り合わせをすることが、台紙に軸芯をもたせ、曲げ屈めるために大切な要件である。なお、台紙の上端が折れ返りで２枚分の厚みになるので、上端が上爪として立て付けに支障にならないよう、薄めの板片でつくる必要がある。図９は、台紙本体に厚みのある板片を使用する場合の例である。図６で示す爪が、台紙本体から上に張り出すサイズのものにして張り合わせて、弾性をもつ上爪をもたせたものである。
【００１６】
図１０は、図７の台紙を横幅が比較的広めの台紙としてもつ場合を例にしたもので、溝レールに立て付ける部分の中間位置に、横幅全体にわたる軸芯（１０ｄ）をいれたものである。爪はその上に張り合わせ、一層、堅く張る軸芯をもつものにした例である。実施例ではプラスチックの薄片を張り合わせたものであるが、プラスチックを素材に射出成型加工の場合は、堅い軸芯をもつものとして端から一体のものとして作ることができる。図５、７、８、９は、比較的横幅の狭い台紙として説明したが、横幅を広くもつものとする場合は、全体を均等に曲げ屈める上で、堅く強い軸芯をもつものとすると良い。尚、掲示紙片を支持する形は、図５、９に示すように粘着面をもつもの。図７、１０に示すように折れ返りで押さえ付くもの。図８で示すように挟んで留め付けるもの。どれを選択し、もつものとしても良い。
【００１７】
図１１、１３、１４、１５、１６、１７、１８は、台紙本体の裏側に、図１２で示す上爪と下爪をもったものを張り合わせたものである。張り合わせた部分が軸芯になって曲げ屈めるときに均等に折れ曲がり、台紙本体の上縁のラインが維持され、付け外しがしやすいものとなる。図１１は、掲示紙片の上端を、台紙の上端と揃え、粘着面に貼り付け、溝レールの上溝に一緒に挟んで留め付けるものである。図１３は、掲示紙片の下端を挟持するもの。図１４は、掲示紙片の上端を挟持して掲示するものである。なお、図１〜１４の実施例では、厚さ０．５ミリのアクリル板及び熱可塑性ポリエステル板を用いた。
【００１８】
図１５、１６、１７、１８は、比較的厚めの折り曲がらない板片を台紙本体としたものである。掲示紙片を留め付ける紙留めは、筋状に張り出して押さえ付くバネをもつものである。薄片を折り返してつくる紙留めとは異にして、しっかりと押さえ留めることができる。プラスチックを素材として射出成形加工でつくると良い。尚、筋状に張り出しのバネは、この部分だけ金属のものとして付け足し加工しても良い。
【００１９】
図１５、１６は、１筋の紙留めをもつシングルの台紙である。掲示する紙片のサイズに合わせペアで使用すると良い。図１５は、掲示紙片の下端を挟持するものである。図１６は、掲示紙片の上端を挟持するものである。図１７、１８は、横幅が定型サイズの紙片を掲示するのに都合の良い、２筋の紙留めをもつダブルの台紙である。図１７は、掲示紙片の上端を挟持するものである。図１８は、掲示紙片の下端を挟持するものである。尚、筋状の押さえは、図１５、１７に示す如きの外に反り曲がりのものでも、図１６、１８に示す如きの内に曲がり込みのものでも良い。
【００２０】
図１９は、台紙本体の板厚の内に縦穴をもつものである。実施例では枡目状の穴目が並列するポリプロピレンを素材とした段ボードを使用した。この台紙は溝レールの横幅一連に取り付けて使用するのも良い。図２０は、この縦穴をもつ台紙に掲示紙片を挟み留めるクリップの１つで、私が平成１４年７月２７日に挟み付きのクリップとして出願したもので、これを用いて挟み付けると便利に使えるものである。図２１は、以上に説明した台紙を立て付ける対象とする溝レールで、商品陳列棚の棚板の正面手前に据え付けられるものである。なお、図１５〜１９の実施例では、台紙本体はポリプロピレンを素材とした厚さ５ミリの段ボードを使用し、爪の部分は厚さ０．５ミリのアクリル板、熱可塑性ポリエステル板を用いた。
【００２１】
【発明の効果】
（イ）商品陳列棚の溝レールを有効利用できる台紙を得た。
（ロ）簡単に付け外しができる台紙を得た。
（ハ）レール幅より大きめの縦幅をもつ紙片でも掲示できる台紙を得た。
（ニ）横幅が広めの紙片でも掲示できる台紙を得た。
（ホ）チラシなど、腰のない紙片でも掲示できる台紙を得た。
【図面の簡単な説明】
【図１】〜
【図１９】本発明の実施例である紙片を掲示する台紙の斜視図である。
【図２０】本発明の台紙（図１９）に使用するクリップの斜視図である。
【図２１】本発明の台紙が立て付く溝レール（部分）の斜視図である。
【符号の説明】
１ａｂ、２ａｂ　立て付け部
１ｅｆ、２ｅｆ　掲示部
３、４、５、７、８、９、１０、１１、１３、１４、１５、１６、１７、
１８、１９　　　　　　　　　　　　　　　　　　　　　　　　　　本体
１ａ、２ａ、５ａ、６ａ、７ａ、８ａ、９ａ、１０ａ、１１ａ、１２ａ、１３ａ、１４ａ、１５ａ、１６ａ、１７ａ、１８ａ、１９ａ　下爪
３ａ、４ａ　引っ掛け鉤
１ｂ、２ｂ，３ｂ、５ｂ、７ｂ、８ｂ、９ｂ、１０ｂ、１１ｂ、１２ｂ、１３ｂ、１４ｂ、１５ｂ、１６ｂ、１７ｂ、１８ｂ、１９ｂ　上爪
１ｃ、２ｃ　軸芯（軸受）
２ｄ　軸棒
５ｃ、７ｃ、８ｃ、９ｃ、１０ｃ、１１ｃ、１３ｃ、１４ｃ　軸芯
３ｅ、５ｅ、９ｅ、１１ｅ　粘着面
１ｆ、２ｆ、３ｆ、４ｆ、７ｆ、８ｆ、１０ｆ、１３ｆ、１４ｆ、１５ｆ、１６ｆ、１７ｆ、１８ｆ　　　　　　　　　　　　　　　　　　紙留め
１９ｇ　（台紙本体の断面にもつ）縦穴
【図１】
2004057774.tif 000003
【図２】
2004057774.tif 000004
【図３】
2004057774.tif 000005
【図４】
2004057774.tif 000006
【図５】
2004057774.tif 000007
【図６】
2004057774.tif 000008
【図７】
2004057774.tif 000009
【図８】
2004057774.tif 000010
【図９】
2004057774.tif 000011
【図１０】
2004057774.tif 000012
【図１１】
2004057774.tif 000013
【図１２】
2004057774.tif 000014
【図１３】
2004057774.tif 000015
【図１４】
2004057774.tif 000016
【図１５】
2004057774.tif 000017
【図１６】
2004057774.tif 000018
【図１７】
2004057774.tif 000019
【手続補正書】
【提出日】平成14年10月11日(2002.10.11)
【手続補正２】
【補正対象書類名】明細書
【補正対象項目名】図面の簡単な説明
【補正方法】変更
【補正の内容】
【図面の簡単な説明】
【図１】本発明の実施例である紙片を掲示する台紙の斜視図である。
【図２】本発明の実施例である紙片を掲示する台紙の斜視図である。
【図３】本発明の実施例である紙片を掲示する台紙の斜視図である。
【図４】本発明の実施例である紙片を掲示する台紙の斜視図である。
【図５】本発明の実施例である紙片を掲示する台紙の斜視図である。
【図６】本発明の実施例である紙片を掲示する台紙の斜視図である。
【図７】本発明の実施例である紙片を掲示する台紙の斜視図である。
【図８】本発明の実施例である紙片を掲示する台紙の斜視図である。
【図９】本発明の実施例である紙片を掲示する台紙の斜視図である。
【図１０】本発明の実施例である紙片を掲示する台紙の斜視図である。
【図１１】本発明の実施例である紙片を掲示する台紙の斜視図である。
【図１２】本発明の実施例である紙片を掲示する台紙の斜視図である。
【図１３】本発明の実施例である紙片を掲示する台紙の斜視図である。
【図１４】本発明の実施例である紙片を掲示する台紙の斜視図である。
【図１５】本発明の実施例である紙片を掲示する台紙の斜視図である。
【図１６】本発明の実施例である紙片を掲示する台紙の斜視図である。
【図１７】本発明の実施例である紙片を掲示する台紙の斜視図である。
【図１８】本発明の実施例である紙片を掲示する台紙の斜視図である。
【図１９】本発明の実施例である紙片を掲示する台紙の斜視図である。
【図２０】本発明の台紙（図１９）に使用するクリップの斜視図である。
【図２１】本発明の台紙が立て付く溝レール（部分）の斜視図である。
【符号の説明】
１ａｂ、２ａｂ　立て付け部
１ｅｆ、２ｅｆ　掲示部
３、４、５、７、８、９、１０、１１、１３、１４、１５、１６、１７、１８、
１９　　　　　　　　　　　　　　　　　　　　　　　　　　　　　　　　本体
１ａ、２ａ、５ａ、６ａ、７ａ、８ａ、９ａ、１０ａ、１１ａ、１２ａ、１３ａ、１４ａ、１５ａ、１６ａ、１７ａ、１８ａ、１９ａ　下爪
３ａ、４ａ　引っ掛け鉤
１ｂ、２ｂ、３ｂ、５ｂ、７ｂ、８ｂ、９ｂ、１０ｂ、１１ｂ、１２ｂ、１３ｂ、１４ｂ、１５ｂ、１６ｂ、１７ｂ、１８ｂ、１９ｂ　上爪
１ｃ、２ｃ　軸芯（軸受け）
２ｄ　軸棒
５ｃ、７ｃ、８ｃ、９ｃ、１０ｃ、１１ｃ、１３ｃ、１４ｃ　軸芯
３ｅ、５ｅ、９ｅ、１１ｅ　粘着面
１ｆ、２ｆ、３ｆ、４ｆ、７ｆ、８ｆ、１０ｆ、１３ｆ、１４ｆ、１５ｆ、１６ｆｆ、１７ｆ、１８ｆ　　　　　　　　　　　　　　　　　　　　　　　　紙留め
１９ｇ　（台紙本体の断面にもつ）縦穴


【手続補正３】
【補正対象書類名】図面
【補正対象項目名】図１８
【補正方法】追加
【補正の内容】
【図１８】
2004057774.tif 000020
【手続補正４】
【補正対象書類名】図面
【補正対象項目名】図１９
【補正方法】追加
【補正の内容】
【図１９】
2004057774.tif 000021
【手続補正５】
【補正対象書類名】図面
【補正対象項目名】図２０
【補正方法】追加
【補正の内容】
【図２０】
2004057774.tif 000022
【手続補正６】
【補正対象書類名】図面
【補正対象項目名】図２１
【補正方法】追加
【補正の内容】
【図２１】
2004057774.tif 000023